【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
減圧により患者の組織部位を治療するためのシステムと使用するための減圧治療装置において、
キャニスター部であって：
少なくとも１つのダイアフラムを含み、前記組織部位に流体的に結合して前記組織部位に減圧をもたらすポンプヘッド、および
前記ポンプヘッドに流体的に結合され、前記組織部位から流体を収集する液溜め
を含むキャニスター部と；
前記キャニスター部とは流体的に分離され、かつ前記ポンプヘッドにポンプエネルギーを提供して前記ポンプヘッドに減圧を生成させるように動作可能なポンプ制御部であって、
制御装置、および
前記制御装置に電力を提供する電源サブシステム
を含むポンプ制御部と；
前記キャニスター部および前記ポンプ制御部に関連付けられ、前記ポンプヘッドに前記ポンプエネルギーを提供する少なくとも１つのリンキングインターフェースと；
を含み、
前記制御装置および前記電源サブシステムが、前記少なくとも１つのリンキングインターフェースに前記ポンプエネルギーを提供して減圧を生成することを特徴とする、減圧治療装置。
【請求項２】
請求項１に記載の減圧治療装置において、前記少なくとも１つのリンキングインターフェースが電磁石を含むことを特徴とする、減圧治療装置。
【請求項３】
請求項２に記載の減圧治療装置において、前記電磁石が、前記ポンプ制御部に結合され、かつ前記少なくとも１つのダイアフラム上の金属部分に電磁的にリンクされ、かつ前記少なくとも１つのダイアフラムを撓ませるように動作可能であることを特徴とする、減圧治療装置。
【請求項４】
請求項２に記載の減圧治療装置において、前記少なくとも１つのリンキングインターフェースが機械的なリンクであり、それによって、前記少なくとも１つのダイアフラムが、前記電磁石によって撓まされるように動作可能であることを特徴とする、減圧治療装置。
【請求項５】
請求項１に記載の減圧治療装置において、前記少なくとも１つのリンキングインターフェースが、前記少なくとも１つのダイアフラムに空気圧的にリンクされたポンプであることを特徴とする、減圧治療装置。
【請求項６】
請求項１に記載の減圧治療装置において、前記少なくとも１つのダイアフラムに装着された圧電部材をさらに含み、および前記少なくとも１つのリンキングインターフェースが：前記圧電部材に電気的に結合された圧電制御器を含むことを特徴とする、減圧治療装置。
【請求項７】
請求項１または請求項１乃至６の何れか１項に記載の減圧治療装置において、前記ポンプヘッドが、前記液溜めに直接減圧をもたらすことを特徴とする、減圧治療装置。
【請求項８】
請求項１または請求項１乃至６の何れか１項に記載の減圧治療装置において、前記ポンプヘッドに流体的に結合され、かつ前記組織部位からの前記流体が前記ポンプヘッドに入ってから前記液溜めに入るように適合された減圧供給導管をさらに含むことを特徴とする、減圧治療装置。
【請求項９】
請求項１または請求項１乃至６の何れか１項に記載の減圧治療装置において、前記ポンプヘッドに流体的に結合され、かつ前記組織部位からの前記流体が前記ポンプヘッドの代わりに前記液溜めに最初に入るように適合された減圧供給導管をさらに含むことを特徴とする、減圧治療装置。
【請求項１０】
請求項１または請求項１乃至９の何れか１項に記載の減圧治療装置において、
前記液溜めから水蒸気を大気に放出するための、前記キャニスター部と前記ポンプ制御部との間の空隙チャネル
をさらに含むことを特徴とする、減圧治療装置。
【請求項１１】
請求項１０に記載の減圧治療装置において、前記空隙チャネルが、前記キャニスター部に形成された凹部分を含むことを特徴とする、減圧治療装置。
【請求項１２】
患者の組織部位に減圧治療を行うための減圧治療システムにおいて、
前記組織部位に近接して配置するためのマニホールドと；
前記組織部位および前記マニホールドを覆って配置され、かつ流体シールを形成するように動作可能なシール部材と；
減圧治療装置であって：
キャニスター部であって：
少なくとも１つのダイアフラムを含み、前記組織部位に流体的に結合されて前記組織部位に減圧をもたらすポンプヘッド、および
前記ポンプヘッドに流体的に結合され、前記組織部位から流体を収集する液溜め
を含むキャニスター部、
前記キャニスター部とは流体的に分離され、かつ前記ポンプヘッドにポンプエネルギーをもたらして前記ポンプヘッドに減圧を生成させるように動作可能なポンプ制御部であって：
制御装置、および
前記制御装置に電力をもたらすための電源サブシステム
を含むポンプ制御部、
前記キャニスター部および前記ポンプ制御部に関連付けられ、前記ポンプヘッドに前記ポンプエネルギーを提供するための少なくとも１つのリンキングインターフェース
を含む減圧治療装置と
を含み、
前記制御装置および前記電源サブシステムが前記少なくとも１つのリンキングインターフェースに前記ポンプエネルギーを提供し、減圧を生成することを特徴とする、減圧治療システム。
【請求項１３】
請求項１２に記載の減圧治療装置において、前記少なくとも１つのリンキングインターフェースが電磁石を含むことを特徴とする、減圧治療装置。
【請求項１４】
請求項１３に記載の減圧治療装置において、前記電磁石が、前記少なくとも１つのダイアフラム上の金属部分に電磁的にリンクされ、かつ前記少なくとも１つのダイアフラムを撓ませるように動作可能であることを特徴とする、減圧治療装置。
【請求項１５】
請求項１３に記載の減圧治療装置において、前記電磁石が、前記少なくとも１つのダイアフラムに機械的にリンクされ、かつ前記少なくとも１つのダイアフラムを撓ませるように動作可能であることを特徴とする、減圧治療装置。
【請求項１６】
請求項１２に記載の減圧治療装置において、前記ポンプ制御部が前記液溜めとは流体的に分離され、および前記少なくとも１つのリンキングインターフェースが、前記少なくとも１つのダイアフラムに空気圧的にリンクされたポンプであることを特徴とする、減圧治療装置。
【請求項１７】
請求項１２に記載の減圧治療装置において、前記減圧治療が、前記少なくとも１つのダイアフラムに装着された圧電部材をさらに含み、および前記少なくとも１つのリンキングインターフェースが、前記圧電部材に電気的に結合された圧電制御器であることを特徴とする、減圧治療装置。
【請求項１８】
請求項１２または請求項１３乃至１７の何れか１項に記載の減圧治療装置において、前記ポンプヘッドが、前記液溜めに減圧をもたらすように適合されていることを特徴とする、減圧治療装置。
【請求項１９】
請求項１２または請求項１３乃至１７の何れか１項に記載の減圧治療装置において、前記ポンプヘッドに流体的に結合され、かつ前記組織部位からの前記流体が前記ポンプヘッドに入ってから前記液溜めに入るように適合されている減圧供給導管をさらに含むことを特徴とする、減圧治療装置。
【請求項２０】
請求項１２または請求項１３乃至１７の何れか１項に記載の減圧治療装置において、前記キャニスターに流体的に結合され、かつ前記組織部位からの前記流体が前記ポンプヘッドの代わりに前記液溜めに最初に入るように適合されている減圧供給導管をさらに含むことを特徴とする、減圧治療装置。
【請求項２１】
請求項１２または請求項１３乃至２０の何れか１項に記載の減圧治療装置において、
前記液溜めから水蒸気を大気に放出させるための、前記キャニスター部と前記ポンプ制御部との間の空隙チャネル
をさらに含むことを特徴とする、減圧治療装置。
【請求項２２】
患者の組織部位に減圧を適用する減圧治療装置において、
キャニスター部であって：
少なくとも１つのダイアフラムを含み、前記組織部位に導管を介して減圧を提供するポンプヘッド、および
前記ポンプヘッドに流体的に結合され、流体を収集する液溜め
を含むキャニスター部と；
前記キャニスター部とは流体的に分離され、かつ前記ポンプヘッドの前記ダイアフラムを作動させて前記ポンプヘッドに前記減圧を生成させるように動作可能なポンプ制御部と
を含むことを特徴とする、減圧治療装置。
【請求項２３】
請求項２２に記載の減圧治療装置において、前記ポンプ制御部が、前記少なくとも１つのダイアフラムを作動させるために電磁石を含むことを特徴とする、減圧治療装置。
【請求項２４】
請求項２３に記載の減圧治療装置において、前記少なくとも１つのダイアフラムが金属部品を含むことを特徴とする、減圧治療装置。
【請求項２５】
請求項２２に記載の減圧治療装置において、前記ポンプ制御部が、前記少なくとも１つのダイアフラムを作動させる機械的アクチュエータを含むことを特徴とする、減圧治療装置。
【請求項２６】
請求項２２に記載の減圧治療装置において、前記ポンプ制御部が、空気圧リンクを介して前記少なくとも１つのダイアフラムを作動させるためのポンプを含むことを特徴とする、減圧治療装置。
【請求項２７】
請求項２２に記載の減圧治療装置において、前記少なくとも１つのダイアフラムに装着された圧電部材をさらに含み、および前記ポンプ制御部が、前記圧電部材を作動させるための電気的接続部を含むことを特徴とする、減圧治療装置。
【請求項２８】
請求項２２乃至２７の何れか１項に記載の減圧治療装置において、前記ポンプヘッドが前記液溜めに減圧を直接提供することを特徴とする、減圧治療装置。
【請求項２９】
請求項２２乃至２８の何れか１項に記載の減圧治療装置において、前記ポンプヘッドに流体的に結合され、かつ前記組織部位からの前記流体が前記ポンプヘッドに入ってから前記液溜めに入るように適合されている減圧供給導管をさらに含むことを特徴とする、減圧治療装置。
【請求項３０】
請求項２２乃至２９の何れか１項に記載の減圧治療装置において、前記ポンプヘッドに流体的に結合され、かつ前記組織部位からの前記流体が前記液溜めに入ってから前記ポンプヘッドに入るように適合されている減圧供給導管をさらに含むことを特徴とする、減圧治療装置。
【請求項３１】
請求項２２乃至３０の何れか１項に記載の減圧治療装置において、前記ポンプヘッドへの入口を形成する第１の一方向弁と、前記ポンプヘッドからの出口を形成する第２の一方向弁とをさらに含むことを特徴とする、減圧治療装置。
【請求項３２】
請求項２２に記載の減圧治療装置において、
前記液溜めから水蒸気を大気へ放出させるための、前記キャニスター部と前記ポンプ制御部との間の空隙チャネル
をさらに含むことを特徴とする、減圧治療装置。
【請求項３３】
請求項３１に記載の減圧治療装置において、前記空隙チャネルが、前記キャニスター部に形成された凹部分を含むことを特徴とする、減圧治療装置。
【請求項３４】
請求項２２乃至３２の何れか１項に記載の装置と、前記組織部位に近接して配置するマニホールドと；前記組織部位および前記マニホールドを覆って配置され、かつ流体シールを形成するように動作可能なシール部材とを含む減圧治療システムにおいて；前記ポンプヘッドが、前記シール部材の下側の囲まれた領域に流体的に結合されていることを特徴とする、減圧治療システム。
【請求項３５】
減圧をもたらす方法において、
ダイアフラムと実質的に整列した第１の電磁石に電流を流すステップであって、前記第１の電磁石が、前記ダイアフラムとは流体的に隔離されて、前記ダイアフラムを第１の位置から第２の位置へ撓ませるステップと、
前記第１の電磁石が前記ダイアフラムを前記第１の位置と前記第２の位置との間で動かすようにして、流体運動を生じさせて減圧を生成するステップと
を含むことを特徴とする、方法。